(57)【特許請求の範囲】
【請求項１】
近傍に存在するＩＤタグからＩＤ情報を読み出す無線タグリーダを具備する移動型照明器具、および前記移動型照明器具から変調された光を受光するＩＤ受光装置を含む巡回システムであって、
前記移動型照明器具は、自移動型照明器具を所持する利用者が携帯するＩＤタグから当該利用者を識別するＩＤ情報を読み取り、所定の箇所に設置されている前記利用者が携帯するＩＤタグとは異なる制御用ＩＤタグから所定のＩＤ情報を読み出した場合に、前記読み取ったＩＤ情報に従って自移動型照明器具が備える光源のオン，オフまたは振幅または波長を変調し、
前記ＩＤ受光装置は、前記移動型照明器具から変調された光を受光し、前記受光した光から前記利用者を識別するＩＤ情報を復調し、前記利用者を識別するＩＤ情報と自ＩＤ受光装置を識別するＩＤ情報を所定の記録装置に送信することを特徴とする巡回システム。
【発明の詳細な説明】
【技術分野】
【０００１】
本発明は、光変調及び無線タグリーダを有する移動型照明器具に関する。
【背景技術】
【０００２】
従来、手持ちの照明装置にＩＤを内蔵し、その光を光変調手段を利用して対象物にＩＤを送出し、施錠や解錠を行うシステムがある（例えば特許文献１）。
【先行技術文献】
【特許文献】
【０００３】
【特許文献１】特開２００１−４０９２２号公報
【発明の概要】
【発明が解決しようとする課題】
【０００４】
しかしながら、上記発明において、ＩＤ情報は照明装置毎に保存されるため、照明装置を盗難された場合や紛失した場合、簡単に悪用されてしまう危険性があった。
【０００５】
一方、無線タグ技術を応用して、同様の施錠、解錠システムも考えられるが、この場合無線タグがパッシブ型の場合は対象物を制御できる範囲が狭くなり施錠、解錠が煩雑であるという問題があり、無線タグがアクティブ型の場合は広範囲にタグＩＤの情報を送出するので、不用意にタグＩＤの情報を送信し悪用されてしまうという問題があった。本発明は上記課題に鑑み為されたものであって、本発明の目的は照明装置を盗難された場合や紛失した場合であっても安全に利用する事ができる技術を提供することにある。
【課題を解決するための手段】
【０００６】
上記課題に対し、本発明は、近傍に存在するＩＤタグからＩＤ情報を読み出す無線タグリーダを具備する移動型照明器具、および前記移動型照明器具から変調された光を受光するＩＤ受光装置を含む巡回システムであって、前記移動型照明器具は、自移動型照明器具を所持する利用者が携帯するＩＤタグから当該利用者を識別するＩＤ情報を読み取り、所定の箇所に設置されている前記利用者が携帯するＩＤタグとは異なる制御用ＩＤタグから所定のＩＤ情報を読み出した場合に、前記読み取ったＩＤ情報に従って自移動型照明器具が備える光源のオン，オフまたは振幅または波長を変調し、前記ＩＤ受光装置は、前記移動型照明器具から変調された光を受光し、前記受光した光から前記利用者を識別するＩＤ情報を復調し、前記利用者を識別するＩＤ情報と自ＩＤ受光装置を識別するＩＤ情報を所定の記録装置に送信することを特徴とする。
【発明の効果】
【０００７】
本発明によれば、照明装置と無線ＩＤタグを定期的に更新するため、盗難、紛失した場合でも悪用されることがない。さらに、光変調手段で変調された光を目で確認しながら送出できるので、ＩＤ情報の送出範囲を利用者が選択することができる。
【図面の簡単な説明】
【０００８】
【図１】本発明の第１の実施形態を説明するための構成図である。
【図２】第１の実施形態の移動型照明器具の機能ブロック図である。
【図３】第１の実施形態の受光装置内蔵電話機の機能ブロック図である。
【図４】第１の実施形態の移動型照明器具の動作フローチャートである。
【図５】本発明の第２の実施形態を説明するための全体構成図である。
【図６】第２の実施形態の移動型照明器具の機能ブロック図である。
【図７】第２の実施形態の移動型照明器具の動作フローチャートである。
【発明を実施するための形態】
【実施例１】
【０００９】
以下、本発明について実施例を用いて説明する。尚、本実施例で説明する各部位について同じ場合には説明を繰り返さない。
【００１０】
図１は本発明の第１の実施形態を説明するための全体構成図である。
【００１１】
本発明の構成は、移動型照明器具１００と、ネットワークに接続した受光装置内蔵電話機２００と、利用者用ＩＤタグ３００と、巡回者が巡回した場所及び時刻を履歴として記録するサーバ４００とから構成される。
【００１２】
利用者は利用者ＩＤタグ３００及び移動式照明器具１００を所持した状態で巡回する。移動式照明器具１００は利用者が具備する利用者ＩＤタグ３００を読み込み、そのＩＤ情報で移動式照明器具１００の光源を変調して光を照射する。
【００１３】
受光装置内蔵電話機２００はＩＤ情報が変調された光を受光すると復調し、自電話機の自装置ＩＤとともにサーバ４００に送信され、サーバ４００はこれを受信すると記録する。また、受光装置内蔵電話機２００は巡回ルートに沿って設置されている。
【００１４】
尚、本実施例では、移動型照明器具１００を懐中電灯として説明するが本願はこれに限定しない。例えば、キーライト、ペンライト、携帯電話のフォトライト、工事現場などで使用される移動式照明、自動車や自動二輪車や自転車や電車や船舶や航空機の前照灯または尾灯であってもよい。
【００１５】
尚、本実施例では、受光装置内蔵電話機２００を電話機として説明するが、本願はこれに限定しない。例えば、建物内に設置された無線アクセスポイントが受光装置を具備していてもよいし、受光装置単体が建物内に設置されてもよい。
【００１６】
図２は第１の実施形態の移動型照明器具１００の機能ブロック図である。
【００１７】
移動型照明器具１００は、無線タグリーダ部１０１と、光変調部１０２と、利用者ＩＤ保存部１０３と、制御部１０４と、光源部１０５と、電源スイッチ１０６と、レンズ１０７とから構成される。
【００１８】
無線タグリーダ部１０１は、定期的に利用者ＩＤタグ３００を検索し、利用者ＩＤタグ３００を検出すると当該利用者ＩＤタグのＩＤ情報を読取り、読取ったＩＤ情報を利用者ＩＤ保存部１０３に渡す。
【００１９】
光変調部１０２は、制御部１０４からの指示に応じて光源部１０５を制御し、光源部１０５の光をオン、オフまたは振幅、波長を変調する。
【００２０】
利用者ＩＤ保存部１０３は、無線タグリーダ部１０１から利用者ＩＤタグのＩＤ情報を渡されると、ＩＤ情報を保存または更新する。また、利用者ＩＤ保存部１０３は、無線タグリーダ部１０１から所定期間（例えば３分）ＩＤ情報が渡されない場合は、記憶したＩＤ情報を削除する。
【００２１】
制御部１０４は、利用者ＩＤ保存部１０３から利用者ＩＤタグのＩＤ情報を渡されると、利用者ＩＤタグのＩＤ情報を光変調部１０２に渡して当該ＩＤ情報の光変調を指示する。
【００２２】
光源部１０５は制御部１０４からの指示に応じて発光する。また、光源部１０５は光源を高速でオン、オフすることができる。
【００２３】
スイッチ１０６は移動型照明器具１００の電源スイッチであり、オンすると制御部１０４を介して光源部１０５を発光する。
【００２４】
レンズ１０７は光変調部１０２からの変調光を移動型照明器具１００から外部に照射する。
【００２５】
尚、本実施例ではレンズ７００は照射範囲は固定であるが本願はこれに限定しない。例えば焦点を調製することで光の拡散、光変調部１０２で変調した光を拡散させ広範囲に照射または収れんし遠くまで届くようにしてもよい。
【００２６】
図３は第１の実施形態の受光装置内蔵電話機２００の機能ブロック図である。
【００２７】
受光装置内蔵電話機２００は受光部２０１と、光復調部２０２と、受光情報送信部２０３と、装置ＩＤ保存部２０４と、回線通信部２０５と、電話機能部２０６とから構成される。
【００２８】
受光部２０１は、移動型照明器具１００から光変調された光を受け取ると電磁的な情報に変換し、復調したデータを光復調部２０２に渡す。
【００２９】
光復調部２０２は、受光部２０１からの電磁的な情報を復調し、利用者ＩＤタグのＩＤ情報を取り出し、受光情報送信部２０３に渡す。
【００３０】
受光情報送信部２０３は、光復調部２０２から利用者ＩＤタグのＩＤ情報を受信すると、当該ＩＤ情報と共に装置ＩＤ保存部２０４から装置ＩＤ情報とを受取り、受光情報として回線通信部２０５に渡す。
【００３１】
装置ＩＤ保存部２０４は、受光装置内蔵電話機２００の装置固有のＩＤを保存しており、受光情報送信部２０３からの指示に応じて装置ＩＤを渡す。
【００３２】
回線通信部２０５は、受光情報送信部２０３からの受光情報を、電話回線またはＩＰネットワーク経由でサーバ４００に送信する。また、電話機能部２０６とサーバ４００との通話情報を電話回線またはＩＰネットワーク経由で送受信する。
【００３３】
電話機能部２０６は、いわゆる電話機の機能で、回線通信部２０５と通話情報を送受信する。
【００３４】
図４は第１の実施形態の移動型照明器具１００の動作を示すフローチャートである。尚、本フローは、移動型照明器具１００のスイッチ１０６が電源ＯＮし、無線タグリーダ部１０１、光変調部１０２および光源部１０５を起動した状態から開始する。
【００３５】
移動型照明器具１００は電源ＯＮになると通常発光する（Ｓ１０）。尚、ここで通常発光とは、光変調していない光を照射することを意味する。
【００３６】
移動型照明器具１００は近傍にある利用者ＩＤタグ３００を検索し、利用者ＩＤタグ３００を検出すると（Ｓ１１，ＹＥＳ）、検出した利用者ＩＤタグ３００からが利用者ＩＤ情報を読み込み（Ｓ１２）、利用者ＩＤ保存部１０３に保存または更新する（Ｓ１３）。
【００３７】
移動型照明器具１００は、保存したＩＤ情報を、光源のオン、オフまたは振幅または波長を変調してレンズ１０７から照射する（Ｓ１４）。そして、移動型照明器具１００は、所定期間（例えば３分）待機して（Ｓ１５）、ステップ１１に戻る。
【００３８】
尚、ステップ１４で照射された光を受講した受光装置内蔵電話機２００は、ＩＤ情報を復調し、受光情報をサーバ４００に送信する。そして受光情報を受信したサーバ４００は受光情報に含まれるＩＤ情報と装置ＩＤ情報を受信した時刻とともに記録する。
【００３９】
また、移動型照明器具１００は、利用者ＩＤタグ３００を検出できない場合は（Ｓ１１，ＮＯ）、ＩＤ情報を消去し（Ｓ１６）、光の変調を停止する（Ｓ１７）。
【００４０】
なお、変調されていない通常の光は照射を継続する。
【００４１】
以上、実施例１について説明した。
【００４２】
本実施例では、無線タグリーダが読み出したＩＤ番号で照射し対象物を制御する。従って、本発明によれば、照明装置と無線ＩＤタグを定期的に更新するため、盗難、紛失した場合でも悪用されることがない。さらに、光変調手段で変調された光を目で確認しながら送出できるので、ＩＤ情報の送出範囲を利用者が選択することができる。
【００４３】
そして、本発明を巡回システムに応用することにより、いつ誰がどこを巡回したか記録されるため、巡回システムの利便性が向上する。
【００４４】
また、ＩＤ情報は、利用者ＩＤ保存部１０３に保存するため、無線タグリーダ部１０１は常時ではなく、定期的に周囲を検索すればよく、移動型照明器具１００の電力消費を低減することができる。
【実施例２】
【００４５】
図５は本発明の第２の実施形態を説明するための全体構成図である。
【００４６】
本発明の構成は、移動型照明器具１００と、ネットワークに接続した受光装置内蔵電話機２００と、利用者用ＩＤタグ３００と、制御用ＩＤタグ３０１と巡回した履歴を記録するサーバ４００とから構成される。実施例１の構成との違いは移動型照明器具１００が近傍に存在する利用者用ＩＤタグ３００以外に各受光装置内蔵電話機２００の近傍に制御用ＩＤタグ３０１を設置する点である。
【００４７】
移動式照明器具１００は利用者の利用者ＩＤタグ３００と共に制御用ＩＤタグ３０１を読み取ると、利用者ＩＤタグ３００のＩＤ情報で移動式照明器具１００の光源を変調し、照射する。
【００４８】
図６は第２の実施形態の移動型照明器具１００の機能ブロック図である。
【００４９】
移動型照明器具１００は、無線タグリーダ部１０１Ａと、光変調部１０２と、利用者ＩＤ保存部１０３と、制御部１０４と、光源部１０５と、電源スイッチ１０６と、レンズ１０７と制御用ＩＤタグ判定部１１０から構成される。
【００５０】
無線タグリーダ部１０１Ａは、定期的（例えば３秒）に利用者ＩＤタグ３００及び制御用ＩＤタグを検索し、制御用ＩＤタグ３０１を検出した場合、当該制御用ＩＤタグ３０１の制御用ＩＤ情報を読取り、読取った制御用ＩＤ情報を制御用ＩＤタグ判定部１１０に渡す。
【００５１】
制御部１０４Ａは、制御用ＩＤタグ判定部１１０からＩＤタグ判定ＯＫの情報を渡されると、利用者のＩＤ情報を光変調部１０２に渡し、光変調部１０２は制御部１０４からの指示に応じて光源部１０５を制御し、光源部１０５の光をオン、オフまたは振幅、波長を所定期間（例えば１０秒間）だけ変調する。制御用ＩＤタグ判定部１１０からのＩＤタグ判定ＮＧの場合は動作しない。
【００５２】
制御用ＩＤタグ判定部１１０は無線タグリーダ部１０１から制御用ＩＤタグの制御用ＩＤ情報を渡されると、有効なＩＤタグか判定し、判定ＯＫ、ＮＧの情報を制御部１０４に渡す。
【００５３】
図７は第２の実施形態の移動型照明器具１００の動作を示すフローチャートである。尚、本フローは、移動型照明器具１００のスイッチ１０６が電源ＯＮし、無線タグリーダ部１０１、光変調部１０２および光源部１０５を起動した状態から開始する。
【００５４】
移動型照明器具１００は電源ＯＮになると通常発光する（Ｓ３０）。
【００５５】
移動型照明器具１００は近傍にある利用者ＩＤタグ３００を検索し、利用者ＩＤタグ３００を検出すると（Ｓ３１，ＹＥＳ）、検出した利用者ＩＤタグ３００からが利用者のＩＤ情報を読み込み（Ｓ３２）、利用者ＩＤ保存部１０３に保存または更新する（Ｓ３３）。
【００５６】
そして、移動型照明器具１００は近傍にある制御用ＩＤタグ３０１を検索し、制御用ＩＤタグ３０１を検出すると（Ｓ３４，ＹＥＳ）、検出した制御用ＩＤタグ３０１からが制御用ＩＤ情報を読み込み、制御用ＩＤタグ判定部１１０で有効なＩＤタグか判定し、判定ＯＫなら（Ｓ３５、ＹＥＳ）、移動型照明器具１００は、利用者ＩＤ保存部１０３に保存したＩＤ情報を、光源のオン、オフまたは振幅または波長を変調してレンズ１０７から照射する（Ｓ３６）。
【００５７】
そして、移動型照明器具１００は、一定期間待機して（Ｓ３７）、光変調を停止し（Ｓ３９）、ステップ３１に戻る。
【００５８】
なお、変調されていない通常の光は照射を継続する。
【００５９】
また、移動型照明器具１００は、利用者ＩＤタグ３００を検出できない場合は（Ｓ３１，ＮＯ）、利用者のＩＤ情報を消去し（Ｓ３８）、光の変調を停止する（Ｓ３９）。
【００６０】
また、移動型照明器具１００は近傍にある制御用ＩＤタグ３０１を検索し、制御用ＩＤタグ３０１を検出できない場合（Ｓ３４、ＮＯ）または、検出した制御用ＩＤタグ３０１の制御用ＩＤ情報が判定ＮＧの場合（Ｓ３５、ＮＯ）、光の変調を停止し（Ｓ３９）、ステップ３１に戻る。
【００６１】
受光装置内蔵電話機２００およびサーバ４００の動作は実施例１の動作と同じなので説明を省略する。
【００６２】
以上、実施例２について説明した。
【００６３】
本実施例では、制御用ＩＤタグ３０１を受光装置内蔵電話機２００の近傍に設置し、利用者のＩＤ情報を照射する場所、時間（例えば１０秒）を限定することで、不用意にＩＤ情報を送出することが無く、セキュリティを向上させることができる。
【符号の説明】
【００６４】
１００：移動型照明器具
１０１、１０１Ａ：無線タグリーダ部
１０２：光変調部
１０３：利用者ＩＤ保存部
１０４、１０４Ａ：制御部
１０５：光源
１０６：電源スイッチ
１０７：レンズ
１１０：制御用ＩＤタグ判定部
２００：受光装置内蔵電話機
２０１：受光部
２０２：光復調部
２０３：受光情報送信部
２０４：装置ＩＤ保存部
２０５：回線通信部
２０６：電話機能部
３００：利用者用ＩＤタグ
３０１：制御用ＩＤタグ
４００：サーバ
【図１】
0005668551.tif 000002
【図２】
0005668551.tif 000003
【図３】
0005668551.tif 000004
【図４】
0005668551.tif 000005
【図５】
0005668551.tif 000006
【図６】
0005668551.tif 000007
【図７】
0005668551.tif 000008